(57)【要約】  プランジャとインターフェースするための構造体であって、プランジャが、ハウジングの外側に露出しており、ハウジングの内側に位置するスイッチを操作するために、ハウジングに対して押し込まれるように構築及び配置されている、構造体。構造体は、ハウジング内にプランジャを維持するために、プランジャとインターフェースするように構築及び配置されている、弾性部分と、弾性部分に結合され、ハウジング内に構造体を捕捉するために、ハウジングとインターフェースするように構築及び配置されている、硬質部分と、を有する。
2021532557.tif 000002
【特許請求の範囲】
【請求項１】
プランジャとインターフェースするための構造体であって、前記プランジャが、ハウジングの外側に露出しており、前記ハウジングの内側に位置するスイッチを操作するために、前記ハウジングに対して押し込まれるように構築及び配置されており、前記構造体が、
前記ハウジング内に前記プランジャを維持するために、前記プランジャとインターフェースするように構築及び配置されている、弾性部分と、
前記弾性部分に結合され、前記ハウジング内に前記構造体を捕捉するために、前記ハウジングとインターフェースするように構築及び配置されている、硬質部分と、を備える、構造体。
【請求項２】
前記プランジャが、凹部を備え、前記弾性部分が、前記プランジャの前記凹部内に部分的に位置する、請求項１に記載の構造体。
【請求項３】
前記凹部が、前記プランジャ内の円周方向の溝を備え、前記弾性部分が、前記溝内に着座するリングを備える、請求項２に記載の構造体。
【請求項４】
前記リングと前記溝との間のインターフェースに接着性物質を更に備える、請求項３に記載の構造体。
【請求項５】
前記ハウジングが、ポケットを備え、前記構造体が、前記ポケット内に嵌められるように構築及び配置されている、請求項１に記載の構造体。
【請求項６】
前記ポケットが、シール面を画定し、前記弾性部分が、前記シール面に対して面シールされる、請求項５に記載の構造体。
【請求項７】
前記ポケットが、対向する側壁を更に画定し、前記硬質部分が、前記側壁に当接する、請求項６に記載の構造体。
【請求項８】
前記硬質部分が、頂部面、内周、及び深さを有する、フレームを備える、請求項１に記載の構造体。
【請求項９】
前記弾性部分が、前記フレームの前記頂部面の上に重なる面部分と、前記フレームの前記内周に当接し、前記フレームの前記深さよりも小さい深さを有する、内側部分と、を備える、請求項８に記載の構造体。
【請求項１０】
前記フレームの前記内周が、複数の離間した溝を備え、前記複数の離間した溝が、前記フレームの前記頂部面に開いており、前記フレームの前記深さよりも小さい深さを有し、前記弾性部分の前記内側部分が、前記フレームの前記離間した溝内に嵌められる一様な複数の離間した突出部分を備える、請求項９に記載の構造体。
【請求項１１】
前記弾性部分の前記面部分が、面取りされた縁部を含む頂部面を有する、請求項９に記載の構造体。
【請求項１２】
前記弾性部分の前記内側部分が、ボアを画定し、前記プランジャが、前記ボアを通って通過する、請求項９に記載の構造体。
【請求項１３】
前記ボアを画定する前記弾性部分の前記内側部分が、前記プランジャに当接する面取り部を備える、請求項１２に記載の構造体。
【請求項１４】
前記弾性部分及び前記硬質部分が両方ともプラスチック材料を含む、請求項１に記載の構造体。
【請求項１５】
前記弾性部分と前記硬質部分とが、一体である、請求項１に記載の構造体。
【請求項１６】
前記弾性部分及び前記硬質部分が、インサート成形によって製造されている、請求項１に記載の構造体。
【請求項１７】
前記弾性部分及び前記硬質部分が、ツーショット成形によって製造されている、請求項１に記載の構造体。
【請求項１８】
前記弾性部分が、エラストマー材料を含む、請求項１に記載の構造体。
【請求項１９】
前記エラストマー材料が、シリコーン材料を含む、請求項１８に記載の構造体。
【請求項２０】
前記弾性部分が、１０ショアＡ〜８０ショアＡの範囲の硬度を有する、請求項１に記載の構造体。
【請求項２１】
前記硬質部分が、ガラス充填ナイロン材料を含む、請求項１に記載の構造体。
【請求項２２】
前記弾性部分が、前記プランジャとの第１のシールと、前記ハウジングとの第２のシールとを作り出すように更に構築及び配置されており、前記第１及び第２のシールが両方とも耐水性である、請求項１に記載の構造体。
【請求項２３】
プランジャとインターフェースするための一体の構造体であって、前記プランジャが、ハウジングの外側に露出しており、前記ハウジングの内側に位置するスイッチを操作するために、前記ハウジングに対して押し込まれるように構築及び配置されており、前記プランジャが、凹部を備え、前記構造体が、
弾性部分であって、前記弾性部分が、エラストマー材料を含み、かつ前記ハウジング内に前記プランジャを維持するために、前記プランジャとインターフェースし、前記プランジャに対して耐水性シールを作り出すように構築及び配置されており、前記弾性部分が、前記プランジャの前記凹部内に部分的に位置する、弾性部分と、
硬質部分であって、前記硬質部分が、プラスチック材料を含み、かつ前記弾性部分に結合され、前記ハウジング内に前記構造体を捕捉するために、前記ハウジングとインターフェースするように構築及び配置されており、前記硬質部分が、頂部面、内周、及び深さを有する、フレームを備える、硬質部分と、を備え、
前記弾性部分が、前記フレームの前記頂部面の上に重なる面部分と、前記フレームの前記内周に当接する内側部分と、を備え、前記弾性部分が、前記ハウジングに対して耐水性シールを作り出す、一体の構造体。
【請求項２４】
プランジャとインターフェースするための一体の構造体であって、前記プランジャが、ハウジングの外側に露出しており、前記ハウジングの内側に位置するスイッチを操作するために、前記ハウジングに対して押し込まれるように構築及び配置されており、前記ハウジングが、対向する側壁を有するポケットと、シール面と、を備え、前記プランジャが、円周方向の溝を備え、前記構造体が、
弾性部分であって、前記弾性部分が、エラストマー材料を含み、かつ前記ハウジング内に前記プランジャを維持するために、前記プランジャとインターフェースするように構築及び配置されており、前記弾性部分が、前記プランジャの前記溝内に着座するリングと、前記ポケットの前記シール面に対して面シールされる面と、を備える、弾性部分と、
硬質部分であって、前記硬質部分が、プラスチック材料を含み、かつ前記弾性部分に結合され、前記ハウジング内に前記構造体を捕捉するために、前記ハウジングの前記ポケット内に嵌められるように構築及び配置されており、前記硬質部分が、頂部面、内周、及び深さを有する、フレームを備える、硬質部分と、を備え、
前記弾性部分が、前記フレームの前記頂部面の上に重なる面部分と、前記フレームの前記内周に当接し、前記フレームの前記深さよりも小さい深さを有する、内側部分と、を更に備え、前記弾性部分の前記内側部分が、ボアを画定し、前記プランジャが、前記ボアを通って通過し、前記弾性部分が、前記プランジャ及び前記ハウジングに対して耐水性シールを作り出す、一体の構造体。
【発明の詳細な説明】
【背景技術】
【０００１】
本開示は、プランジャとハウジングとをインターフェースする構造体に関する。
【０００２】
移動可能なプランジャを使用して、ハウジング内に位置するスイッチを操作することができる。例えば、ヘッドホンは通常、オンオフ及び使用モードなどの特定の機能を制御するために、少なくとも１つのユーザ操作可能なスイッチを有する。一部のスイッチは、操作面が押し下げられることによって操作され、操作面は、押す力が解除されたときに、その休止位置に自動的に戻る。このタイプのスイッチがハウジング又は他の構造体の内側に位置する場合、プランジャをスイッチアクチュエータとして使用することができる。定位置にプランジャを保持し、プランジャの出入りの動きを可能にするためのいくつかの構造体が必要とされている。プランジャがハウジングの外側に露出している場合、プランジャのための、ハウジング内の開口部が存在する必要がある。この開口部は、デバイスの操作に対して有害な影響を有し得る、粉塵、湿気、及び他の汚染物質の侵入点になり得る。
【発明の概要】
【０００３】
下記で言及される全ての例及び特徴は、技術的に可能な任意の方法で組み合わせることができる。
【０００４】
一態様では、プランジャとインターフェースするための構造体であって、プランジャが、ハウジングの外側に露出しており、ハウジングの内側に位置するスイッチを操作するために、ハウジングに対して押し込まれるように構築及び配置されている、構造体は、ハウジング内にプランジャを維持するために、プランジャとインターフェースするように構築及び配置されている、弾性部分と、弾性部分に結合され、ハウジング内に構造体を捕捉するために、ハウジングとインターフェースするように構築及び配置されている、硬質部分と、を含む。
【０００５】
実施形態は、下記の特徴のうちの１つ、又はそれらの任意の組み合わせを含み得る。プランジャは、凹部を備えることができ、弾性部分は、プランジャの凹部内に部分的に位置し得る。凹部は、プランジャ内の円周方向の溝を備えることができ、弾性部分は、溝内に着座するリングを備え得る。構造体は、リングと溝との間のインターフェースに接着性物質を更に含み得る。ハウジングは、ポケットを備えることができ、構造体は、ポケット内に嵌められるように構築及び配置され得る。ポケットは、シール面を画定し得、弾性部分は、シール面に対して面シールされ得る。ポケットは、対向する側壁を更に画定し得、硬質部分は、側壁に当接し得る。
【０００６】
実施形態は、上記及び／又は下記の特徴のうちの１つ、又はそれらの任意の組み合わせを含んでもよい。硬質部分は、頂部面、内周、及び深さを有する、フレームを備え得る。弾性部分は、フレームの頂部面の上に重なる面部分と、フレームの内周に当接し、フレームの深さよりも小さい深さを有する、内側部分と、を備え得る。フレームの内周は、複数の離間した溝を備えることができ、複数の離間した溝は、フレームの頂部面に開いており、フレームの深さよりも小さい深さを有し、弾性部分の内側部分は、フレームの離間した溝内に嵌められる一様な複数の離間した突出部分を備え得る。弾性部分の面部分は、面取りされた縁部を含む頂部面を有し得る。弾性部分の内側部分は、ボアを画定し得、プランジャは、ボアを通って通過し得る。ボアを画定する弾性部分の内側部分は、プランジャに当接する面取り部を備え得る。
【０００７】
実施形態は、上記及び／又は下記の特徴のうちの１つ、又はそれらの任意の組み合わせを含んでもよい。弾性部分及び硬質部分は両方ともプラスチック材料を含み得る。弾性部分と硬質部分とが、一体であってもよい。弾性部分及び硬質部分は、インサート成形によって製造され得る。弾性部分及び硬質部分は、ツーショット成形によって製造され得る。弾性部分は、エラストマー材料を含み得、エラストマー材料は、シリコーン材料であってもよい。弾性部分は、１０ショアＡ〜８０ショアＡの範囲の硬度を有し得る。硬質部分は、ガラス充填ナイロン材料を含み得る。弾性部分は、プランジャとの第１のシールと、ハウジングとの第２のシールとを作り出すように更に構築及び配置することができ、第１及び第２のシールは両方とも耐水性である。
【０００８】
別の態様では、プランジャとインターフェースするための一体の構造体であって、プランジャが、ハウジングの外側に露出しており、ハウジングの内側に位置するスイッチを操作するために、ハウジングに対して押し込まれるように構築及び配置されており、プランジャが、凹部を備える、一体の構造体は、弾性部分であって、弾性部分が、エラストマー材料を含み、かつハウジング内にプランジャを維持するために、プランジャとインターフェースし、プランジャに対して耐水性シールを作り出すように構築及び配置されており、弾性部分が、プランジャの凹部内に部分的に位置する、弾性部分と、硬質部分であって、硬質部分が、プラスチック材料を含み、かつ弾性部分に結合され、ハウジング内に構造体を捕捉するために、ハウジングとインターフェースするように構築及び配置されており、硬質部分が、頂部面、内周、及び深さを有する、フレームを備える、硬質部分と、を備える。弾性部分は、フレームの頂部面の上に重なる面部分と、フレームの内周に当接する内側部分と、を備え、弾性部分は、ハウジングに対して耐水性シールを作り出す。
【０００９】
別の態様では、プランジャとインターフェースするための一体の構造体であって、プランジャが、ハウジングの外側に露出しており、ハウジングの内側に位置するスイッチを操作するために、ハウジングに対して押し込まれるように構築及び配置されており、ハウジングが、対向する側壁を有するポケットと、シール面と、を備え、プランジャが、円周方向の溝を備える、一体の構造体は、弾性部分であって、弾性部分が、エラストマー材料を含み、かつハウジング内にプランジャを維持するために、プランジャとインターフェースするように構築及び配置されており、弾性部分が、プランジャの溝内に着座するリングと、ポケットのシール面に対して面シールされる面と、を備える、弾性部分と、硬質部分であって、硬質部分が、プラスチック材料を含み、かつ弾性部分に結合され、ハウジング内に構造体を捕捉するために、ハウジングのポケット内に嵌められるように構築及び配置されており、硬質部分が、頂部面、内周、及び深さを有する、フレームを備える、硬質部分と、を備える。弾性部分は、フレームの頂部面の上に重なる面部分と、フレームの内周に当接し、フレームの深さよりも小さい深さを有する、内側部分と、を更に備え、弾性部分の内側部分は、ボアを画定し、プランジャは、ボアを通って通過し、弾性部分は、プランジャ及びハウジングに対して耐水性シールを作り出す。
【図面の簡単な説明】
【００１０】
【図１】プランジャによって操作されるスイッチを有するハウジングの部分図であり、プランジャのインターフェース構造体は、ハウジング内に位置する。
【図２】プランジャのインターフェース構造体を受容するポケットを示す。
【図３】プランジャを示す。
【図４Ａ】プランジャとインターフェースするための構造体の正面図である。
【図４Ｂ】プランジャとインターフェースするための構造体の背面図である。
【図５】図４Ａ及び図４Ｂの構造体の硬質部分の頂部斜視図である。
【図６】図４Ａ及び図４Ｂの構造体の弾性部分の背面斜視図である。
【図７】図１の線７−７に沿ってとられた断面図である。
【発明を実施するための形態】
【００１１】
本構造体は、ハウジングの外側に露出しており、ハウジングの内側に位置するスイッチを操作するために、ハウジングに対して押し込まれるように構築及び配置されている、プランジャとインターフェースする。構造体は、プランジャを移動させるのに必要な力を実質的に変更することなく、ハウジング内にプランジャを維持するために、プランジャとインターフェースする、弾性部分を含む。構造体はまた、弾性部分に結合され、かつハウジング内に構造体を捕捉するために、ハウジングとインターフェースする、硬質部分を含む。弾性部分はまた、好ましくは、プランジャのための開口部を通じたハウジング内への粉塵及び湿気汚染の侵入を抑制するために、プランジャ及びハウジングの両方に対して耐湿性及び防粉塵シールを提供する。一体の構造体は、例えば、インサート成形又はツーショット成形によって作製され得る。
【００１２】
図１は、本開示の構造体の１つの非限定的な使用の部分図である。構造体１０は、プランジャ５０と、ハウジング外表面１０２を有するハウジング１００とをインターフェースする。この非限定的な実施例では、ハウジング１００は、メガネヘッドホンのテンプルの一部であり、メガネのように装着されるように設計されており、耳に音を提供するように配置された電気音響変換器（図示せず）を有する。本明細書に記載の態様及び実装形態は、ヘッドホン（オンイヤ型又はオフイヤ型にかかわらず）、ヘッドセット、腕時計、メガネ、首装着型スピーカ、肩装着型スピーカ、身体装着型スピーカなどのような様々なフォームファクタのウェアラブルオーディオデバイスなどの多種多様なデバイスに適用可能であり得る。特に指定のない限り、本明細書で使用される場合、ウェアラブルオーディオデバイスという用語には、ヘッドホン、及び音を生成するための１つ以上の音響ドライバを含む頭部装着型、肩装着型、又は身体装着型の音響デバイスなどの他の様々なタイプのパーソナルオーディオデバイスが含まれる。開示されるいくつかの特定の態様は、特に、インイヤ型ヘッドホン（イヤホンとも称される）、メガネ、又は他のヘッドマウントオーディオデバイスなどのパーソナル（ウェアラブル）オーディオデバイスに適用可能であり得る。本明細書に記載の態様及び実装形態はまた、デバイスの機能を制御するためのユーザ操作可能なスイッチを有する、任意のタイプのデバイスに適用可能であり得る。オーディオを音響的に出力する目的を主に果たすスピーカシステムの具体的な実装形態は、ある程度の詳細が提示されているが、そのような特定の実装形態の提示は、実施例の提供を通じて理解を容易にすることを意図するものであり、開示の範囲又は特許請求の範囲のいずれかを限定するものとして解釈されるべきではないことに留意されたい。
【００１３】
プランジャ５０は、内側端部５３（図３を参照）により、マウント７０によって担持されるスイッチ６０が押し下げられ、それにより操作されるように、ハウジング面１０２に対して押し込まれるように構成することができ、マウント７０は、それ自体が、ハウジング１００の内側に位置するプリント回路基板８０によって担持される。プランジャ５０の露出面５１（図３を参照）は、ハウジング１００の外側に位置する。スイッチ６０は、任意の既知の様式で操作することができ、かつ任意の所望の様式で機能し得る。１つの非限定的な実施例では、スイッチを使用して、メガネヘッドホンの機能（例えば、メガネヘッドホンの電源のオン／オフ、メガネヘッドホンからのオーディオ再生の再生／一時停止、音量の変更、又はメガネヘッドホンから再生されているトラックの修正など）を選択することができる。
【００１４】
図２に示されるように、ハウジング１００は、中を通ってプランジャ５０のシャフト５２（図３を参照）が通過するボア４４を有する。ボア４４はハウジング外表面１０２まで延在するため、ボアは、粉塵、水、及び汗などの外来物質のハウジング内への侵入点になり得る。構造体１０は、ハウジング内への汚染物質の侵入を抑制するために、プランジャをシールするように構築及び配置され得る。１つの非限定的な実施例では、このシールは、構造体１０の弾性部分３０を使用して達成される。弾性部分３０は、例えば、図４Ａ、図４Ｂ、及び図６に示されている。弾性部分３０はまた、ハウジング内にプランジャを維持するために、プランジャ５０とインターフェースするように構築及び配置され得る。構造体１０はまた、弾性部分に結合され、ハウジング内に構造体を捕捉及び保持するために、ハウジングとインターフェースするように構築及び配置されている、硬質部分１２（例えば、図５に示される）を含み得る。
【００１５】
図面に詳述される実施例では、弾性部分は、プランジャとの第１のシールと、ハウジングとの別個の第２のシールと、を作り出すように構築及び配置されている。１つの非限定的な実施例では、第１及び第２のシールは両方とも耐水性であり、ＩＥＣ規格ＩＰＸ４（防沫）又はＩＰＸ７（３０秒間１メートルまで潜水可能）を満たすことができる。シールはプランジャ及びハウジングのうちの１つのみに行われ得るため、プランジャ及びハウジングの両方をシールするために弾性部分を使用する必要はない。また、汚染又は液体に対する耐性などのシールの特定の結果は、限定されない。
【００１６】
１つの非限定的な実施例では、弾性部分は、以下のようにプランジャにシールされ得る。プランジャ５０は、凹部５４を有し得、弾性部分は、プランジャの凹部内に部分的に位置し得る。図３に示されるように、凹部は、プランジャのシャフト内に円周方向の溝を備え得る。弾性部分３０は、溝内に着座するリング３１を備え得る。弾性部分３０の内側部分３４は、プランジャを移動させるのに必要な力を実質的に変更することなく、プランジャが内外に移動することを可能にするために、スイッチの（図７の矢印１１０によって描かれるような）動きの方向に十分な適合性を有する。プランジャが移動するにつれてリング３１が溝５４から滑り落ちることを更に抑制するために、リング３１とプランジャ５０とのインターフェース（すなわち、リングと溝との間）の一部又は全てに接着剤７２が位置し得る。
【００１７】
構造体１０は、任意の所望の方法でハウジング内に保持され得る。構造体１０のハウジングへの結合の１つの非限定的な実施例を図面に示す。ハウジング１００は、内部ポケット４８を含み、構造体１０は、ポケット内に嵌められるように構築及び配置され得る。ポケット４８は、例えば、図２に示されており、ボア４４含むハウジングの一部にシール面４３を画定し得る。ポケット４８はまた、側壁４１及び４２と、端壁４６と、を含むことができ、これにより、プランジャのための開口部４５を画定する。ポケットは、定位置に構造体１０を保持するようにサイズ決め及び形状決めされている。好ましくは、必ずしもそうではないが、構造体１０の硬質部分１２もまた、ポケットの側壁４１及び４２とインターフェースする。構造体１０は、ポケット４８の開いた頂部内に押し込まれ得る。部分１２のスタンドオフ２３及び２４は、ポケットの底部壁４７と接触して、ポケット内に構造体１０を着座させるのを助ける。スタンドオフはまた、ポケット４８内に構造体１０を挿入する人物が、構造体の頂部と底部とを区別するのを助け、それにより、構造体１０が、ポケット内で適切に向けられる。好ましくは、必ずしもそうではないが、構造体１０は、構造体１０の弾性部分３０とハウジングとの間に締まり嵌めを作り出すことによって、ハウジング１００にシールされる。例示の実施例では、このシールは、弾性部分３０の面部分３３の上部面３２とポケット４８の内部シール面４３との間の面シールで達成される。図７を参照されたい。
【００１８】
弾性部分３０は、１つ以上のシール機能を実施するので、シールを容易にするために圧縮され得る比較的軟質の材料から作製されていることが好ましい。１つの非限定的な実施例では、弾性部分は、シリコーンなどのエラストマーから作製されている。熱可塑性エラストマー又は熱可塑性ウレタンを代替的に使用することができる。弾性部分は、１０ショアＡ〜８０ショアＡの範囲の硬度を有し得る。他の材料及び他の硬度を使用することができる。構造体１０がポケット４８内に押し込まれると、面３２は、シール面４３との締まり嵌めを形成する。面３２は、軟質であるため、構造体１０がポケット４８内に挿入される際に、変形し、折り畳み又は引き裂きを受けやすい場合がある。構造体のポケット内への組み立ては、面部分３３の面取りされた頂部縁部４０を含めることによって容易にすることができる。
【００１９】
弾性部分３０は、好ましくは、上述のように、プランジャもシールする。弾性部分３０の内側部分３４は、ボア５６を画定し得る。組み立て中、プランジャのシャフト５２を、ボア５６を通して押し込む必要がある。リング３１は、プランジャの凹部５４の表面に対して着座するように配置されているため、リング３１は、シャフト５２の外径よりも小さい内径を有する。したがって、シャフトがボアを通って押し込まれると、リング３１は変形する。シャフトの挿入を容易にするために、面取り部３９は、リング３１の頂部面３１ａの内側縁部に沿って形成され得る。図４Ａを参照されたい。リング３１はまた、背面３１ｂを有する。図４Ｂを参照されたい。
【００２０】
図５の硬質部分１２は、頂部面１３と、内周１４と、頂部面１３と底部面２２との間の深さと、を有する、フレームを備え得る。弾性部分の面部３３は、フレームの頂部面１３の上に重なる。弾性部分３０はまた、フレームの内周１４に当接し、フレームの深さよりも小さい深さを有する、内側部分３４を含む。フレームの内周は、複数の離間した溝を備え得る（４つの溝１５〜１８が例示されているが、４つよりも少ないか、又は４つよりも多い場合がある）。これらの溝は、フレームの頂部面１３に開いていてもよく、フレームの深さよりも小さい深さを有し得る。溝１６は、４つの同一のテーパ状の溝を例示しており、平坦な面１９及び角度付き面２０を含む。弾性部分３０の内側部分３４は、フレームの離間した溝内に嵌められる一様な複数の離間した突出部分３５〜３８を備え得る。溝１５〜１８のテーパ部は、フレーム内に弾性部分を着座させ、プランジャのシャフトがボア５６を通って押し込まれると作り出される、弾性部分への下向きの力によって、弾性部分がフレームから押し出されるのを防ぐのに役立つ。
【００２１】
１つの非限定的な実施例では、弾性部分及び硬質部分は両方ともプラスチック材料を含み得る。弾性部分及び硬質部分は、それらが一体構築物を形成するように一緒に結合され得る。弾性部分及び硬質部分は、インサート成形によって製造され得る。代替的に、弾性部分及び硬質部分は、ツーショット成形によって製造され得る。弾性部分は、エラストマー材料を含み得、エラストマー材料は、シリコーン材料であってもよい。弾性部分は、１０ショアＡ〜８０ショアＡの範囲の硬度を有し得る。硬質部分は、シリコーン材料に対して良好な付着性を示し、ひいては、一体構築物を作り出すことができる適切な硬質材料である、ガラス充填ナイロン材料を含み得る。
【００２２】
複数の実装形態を説明してきた。それにもかかわらず、本明細書に記載される本発明の概念の範囲から逸脱することなく、追加の改変を行うことができ、したがって、他の実施形態も、以下の特許請求の範囲内にあることが理解される。
【符号の説明】
【００２３】
１０  構造体
１２  硬質部分
１３  頂部面
１４  内周
１５  溝
１６  溝
１７  溝
１８  溝
１９  面
２２  底部面
２３  スタンドオフ
２４  スタンドオフ
３０  弾性部分
３１  リング
３１ａ  頂部面
３１ｂ  背面
３２  上部面
３３  面部分
３４  内側部分
３５  突出部分
３６  突出部分
３７  突出部分
３８  突出部分
３９  面取り部
４０  頂部縁部
４１  側壁
４２  側壁
４３  シール面
４４  ボア
４５  開口部
４６  端壁
４７  底部壁
４８  ポケット
５０  プランジャ
５１  露出面
５２  シャフト
５３  内側端部
５４  凹部
５６  ボア
６０  スイッチ
７０  マウント
７２  接着剤
８０  プリント回路基板
１００  ハウジング
１０２  ハウジング面
【図１】
2021532557.tif 000003
【図２】
2021532557.tif 000004
【図３】
2021532557.tif 000005
【図４Ａ】
2021532557.tif 000006
【図４Ｂ】
2021532557.tif 000007
【図５】
2021532557.tif 000008
【図６】
2021532557.tif 000009
【図７】
2021532557.tif 000010
【国際調査報告】
2021532557.tif 000011
2021532557.tif 000012
2021532557.tif 000013